(57)【要約】      （修正有）【課題】特にペンホルダータイプの卓球ラケットでバックハンドで打球する場合であっても、攻撃力を向上させ効果的な打球を返すことのできる卓球ラケットを提供する。【解決手段】打球板部１２と、打球板部の端部に突設された棒状のグリップ部１４とを備え、打球板部の双方の面にはラバーが張られた打球面部１１，１７が形成された卓球ラケット１０において、一方の打球面部側にはグリップ部の近傍に親指掛け部２０が設けられていると共に、他方の打球面部側にはグリップ部上に人差し指掛け部が設けられている。【選択図】図１
0003184479.tif 000002
【実用新案登録請求の範囲】
【請求項１】
打球板部と、上記打球板部の端部に突設された棒状のグリップ部とを備え、上記打球板部の双方の面にはラバーが貼られた打球面部が形成された卓球ラケットにおいて、上記一方の打球面部側には上記グリップ部の近傍に親指掛け部が設けられていると共に、他方の打球面部側には上記グリップ部上に人差し指掛け部が設けられていることを特徴とする卓球ラケット。
【請求項２】
上記親指掛け部は、打球面部上に突出してグリップ部との間に親指を配置固定しうる凸部を備えていると共に、上記人差し指掛け部は、上記グリップ部と略同位置において上記親指掛け部と打球板部の厚さ方向において反対方向に突出する突出部を有しており、親指を上記親指掛け部に配置すると共に、人差し指を上記人差し指掛け部に掛けてグリップ部を把持することを特徴とする請求項１記載の卓球ラケット。
【請求項３】
上記凸部は、所定の長さ寸法を有してグリップ部の長さ方向に沿って形成され、ラケットの幅方向端部側に配置されると共に上記グリップ部に対向する横断面略円弧状の係止部を有していることを特徴とする請求項２記載の卓球ラケット。
【請求項４】
上記突出部は、上記親指掛け部とは反対方向に傾斜して設けられていることを特徴とする請求項２記載の卓球ラケット。
【請求項５】
上記打球板部は平面略長方形状に形成されると共に、上記グリップ部は打球面部の長さ方向に対して斜めに固定されていることを特徴とする請求項１記載の卓球ラケット。
【請求項６】
上記グリップ部は、打球板部の長さ方向端部に形成されたグリップ固定部に固定されると共に、上記親指掛け部は上記グリップ部の側方において上記グリップ固定部に設けられていることを特徴とする請求項３記載の卓球ラケット。
【考案の詳細な説明】
【技術分野】
【０００１】
本考案は、卓球ラケットの改良に関するものである。
【背景技術】
【０００２】
今日において卓球は、夏季オリンピックや世界卓球選手権等の開催及び放映の影響もあり、老若男女問わず楽しめるスポーツとして発展している。
【０００３】
卓球がスポーツとして発展するに伴い、技術力の向上を志す者は増加しており、技術力の向上の一つには、ラケットの使い方が大きく左右し、ラケットは把持部の握り方の違いによりシェークハンドタイプとペンホルダータイプの大きく２種類に区別される。
前者は、フォアハンドとバックハンドの切り替えが行いやすく、特にバックハンド攻撃に適しているため、握り方の主流であると言われている。
【０００４】
後者は、手首のスナップを利かせた操作性に優れ、ラケット角度等を微調整しやすい一方、基本的にラケットの表面のみでフォアハンド及びバックハンドを打つため、ラケットを握った際にラケットのヘッド部分が下がり、フォアミドルに来たボールをバックハンドで効果的に打ち返すことができない等、攻撃力に欠ける場合がある。
さらに、把持部は細長棒状体に形成されており、親指と人差し指で把持部を容易に把持できる一方、親指及び人差し指と把持部との接触面積が小さいため、安定してラケットを把持することが難しいとされている。
【０００５】
このような観点から、シェークハンドタイプ及びペンホルダータイプとを問わず、フォアハンド、バックハンド及びミドルのボールを効果的に打ち返すことのできる卓球ラケットとして以下のような従来技術が存在する。
例えば、特許文献１には、把持部をラケット本体より突出して斜状に固定し、把持部の側方においてラケット本体に指掛切欠部を附設すると共に、ラケット本体裏面に指当突子を設けることで、ラケット本体を安定した状態において強力に把持することができ、かつ、希望の傾斜及び回動角において使用することができる卓球ラケットが開示されている。
【０００６】
特許文献２には、把持部の一方の斜辺に２個の凹所を設け、凹所間に表面を弯曲させたブロック状のパッドを配設することで、把持部を的確に保持することができ、かつ、ラケットを握る指の置き方を変化させることで、変幻自在な打ち方ができる卓球ラケットが開示されている。
【０００７】
特許文献３には、打球部と把持部の連設部分に打球部の表面より突出しかつ把持部の両側面より張り出した円筒形状の指掛部を設けることで、シェークハンドタイプでは、高速スイングした場合であっても、打球面への力のかかり具合が安定し、また、ペンホルダータイプでは、指掛部と指との接触面積が大きくなり、ラケットを安定して把持できる卓球ラケットが開示されている。
【特許文献１】実公昭３５−０１４７２２号公報
【特許文献２】実開昭６３−１１１１６８号公報
【特許文献３】特開２００１−１１２９００号公報
【考案の開示】
【考案が解決しようとする課題】
【０００８】
しかしながら、特許文献１にあっては、ラケット本体を安定した状態で把持することができるように指掛部及び指当突子が設けられているが、攻撃力の向上には至っていないという不具合があった。また、特許文献２及び３にあっては、ペンホルダータイプにおいて、フォアミドルに来たボールをバックハンドで効果的に打ち返すことができない等、バックハンドでの攻撃力の向上には至っていないという不具合があった。
【０００９】
本考案は、このような従来からの不具合を解決するためのものであり、特にペンホルダータイプの卓球ラケットでバックハンドで打球する場合であっても、攻撃力を向上させ効果的な打球を返すことのできる卓球ラケットを提供することにある。
【課題を解決するための手段】
【００１０】
上記課題達成のため、請求項１記載の考案にあっては、打球板部と、上記打球板部の端部に突設された棒状のグリップ部とを備え、上記打球板部の双方の面にはラバーが貼られた打球面部が形成された卓球ラケットにおいて、上記一方の打球面部側には上記グリップ部の近傍に親指掛け部が設けられていると共に、他方の打球面部側には上記グリップ部上に人差し指掛け部が設けられていることを特徴とする。
【００１１】
請求項２記載の考案にあっては、上記親指掛け部は、打球面部上に突出してグリップ部との間に親指を配置固定しうる凸部を備えていると共に、上記人差し指掛け部は、上記グリップ部と略同位置において上記親指掛け部と打球板部の厚さ方向において反対方向に突出する突出部を有しており、親指を上記親指掛け部に配置すると共に、人差し指を上記人差し指掛け部に掛けてグリップ部を把持することを特徴とする。
【００１２】
請求項３記載の考案にあっては、上記凸部は、所定の長さ寸法を有してグリップ部の長さ方向に沿って形成され、ラケットの幅方向端部側に配置されると共に上記グリップ部に対向する横断面略円弧状の係止部を有していることを特徴とする。
【００１３】
請求項４記載の考案にあっては、上記突出部は、上記親指掛け部とは反対方向に傾斜して設けられていることを特徴とする。
【００１４】
請求項５記載の考案にあっては、上記打球板部は平面略長方形状に形成されると共に、上記グリップ部は打球面部の長さ方向に対して斜めに固定されていることを特徴とする。
【００１５】
請求項６記載の考案にあっては、上記グリップ部は、打球板部の長さ方向端部に形成されたグリップ固定部に固定されると共に、上記親指掛け部は上記グリップ部の側方において上記グリップ固定部に設けられていることを特徴とする。
【考案の効果】
【００１６】
請求項１記載の考案にあっては、一方の打球面部側にはグリップ部の近傍に親指掛け部が設けられていると共に、他方の打球面部側には上記グリップ部上に人差し指掛け部が設けられている。
したがって、従来のペンホルダーの場合のように、フォアミドルへのボールに対して手首を返して打つ必要がなく、ボールに対して迅速に打球面を形成して打つことができる。
【００１７】
また、フォアミドルへの打球に対してバックハンドで打球する場合においては、人差し指を上記突出部に掛け安定した状態においてグリップを強力に把持することにより、ラケットの裏面の打球面を従来よりも上方に向けて構えることができる。
したがって、ラケットのヘッド部が下がらず、ラケットの打球面部にボールに対して角度を付けることができる。その結果、ペンホルダータイプが苦手とするフォアミドルに来たボールに対し、ドライブをかけてショートさせることができ効果的な打球を打ち返すことができる。
さらに、カットされたボールが打たれた場合にも、ラケットの裏面側の打球面をボールに対して上方に向けて構えることができるため、相手からのカットボールに対し、ドライブボールをフルスイングで打つことができる。
【００１８】
請求項２から４及び６記載の考案にあっては、上記親指掛け部は、係止部を有し、親指を配置固定しうる凸部を備えていると共に、上記人差し指掛け部は、上記親指掛け部とは反対方向に傾斜して設けられている突出部を有しており、親指を上記親指掛け部に配置すると共に、人差し指を上記人差し指掛け部に掛けて上記グリップ部を把持する。
したがって、親指を上記親指掛け部、人差し指を上記人差し指掛け部に配置すると共に、突出部を介して残り３本の指を添えることで、上記グリップ部を的確に長時間安定して把持することができる。
その結果、例えば、試合中に疲れが生じた場合であっても、ラケットを握る指の位置は固定されるため、安定してラケットを把持することができる。
【００１９】
さらに、シェークハンドタイプと比較した場合に、可動域が比較的広いことから、バックハンドで打球する場合においては、サイドスピンをかけて打つことができる。
【００２０】
請求項５記載の考案にあっては、上記グリップ部は、上記打球面部の長さ方向に対して斜めに固定されている。
したがって、フォアハンドで打球する場合においては、一般のラケットがペンホルダーで打つ場合に、打球面部は下腕部に沿った延長線上に配置されることになるが、本考案にあっては、下腕部の延長線上よりも下方に打球面部が配置されることになる。
その結果、ボールに対してさらにドライブを強くかけることができ、また、ドライブをかけたボールに対し、サイドスピンをかけて打つことができる。
【図面の簡単な説明】
【００２１】
【図１】本考案に係る卓球ラケットの一方の打球面部側の構造を示す斜視図である。
【図２】本考案に係る卓球ラケットの他方の打球面部側の構造を示す斜視図である。
【図３】本考案に係る卓球ラケットを把持した状態を示す斜視図である。
【考案を実施するための最良の形態】
【００２２】
以下、添付図面に示す実施の形態に基づき、本考案を詳細に説明する。
図１は、本考案に係る卓球ラケット１０の表側の打球面部１１側の構造を示す斜視図である。
図１に示すように、本実施の形態に係る卓球ラケット１０は、平面略長方形状に形成された木製の打球板部１２と、打球板部１２の長さ方向端部１３に突設された棒状に形成された木製グリップ部１４とを備え、打球板部１２の双方の面部１５、１６には、ゴム製のシートとスポンジとを貼り合わせたラバーが貼付された打球面部１１、１７が形成されている。
【００２３】
木製グリップ部１４は、一般の卓球ラケットの軸部と同様に棒状に形成され、長さ方向端部１３に形成されたグリップ固定部１８に、表側の打球面部１１の長さ方向において、先端部が表側の打球面部１１の幅方向一端部側へ寄り、全体として斜めに固定されており、木製グリップ部１４の打球板部１２の先端２７に向って左側には親指掛け部２０が連設されている。
本実施の形態にあっては、木製グリップ部１４は打球板部１２と同様に木製であって、打球板部１２の表面側にのみ形成されており、グリップ固定部１８に連設されている。
【００２４】
打球板部１２の基端部３０には、打球板部１２の幅方向に沿って延設部１９が形成され、延設部１９上に親指掛け部２０が設けられている。
【００２５】
親指掛け部２０は、合成樹脂による一体成型によって形成され、全体略、上方が開放された半円筒状に形成されていると共に、幅方向一端部は木製グリップ部１４に当接する親指収納部２８と、延設部１９の縁部に配置され、親指収納部２８に配置された親指を側方から支持する凸部２１とを備えている。
【００２６】
親指収納部２８は、一般的な人の親指が収納されうるような大きさに形成され、断面半円形状に形成されていると共に、親指収納部２８の後端部２９は、平面円弧状に切欠かれて形成され、親指収納部２８に親指を配置した状態で、他の４本の指を裏面側に回すことで、指の取り回しが可能となるように構成されている。
【００２７】
凸部２１は、所定の長さ寸法を有し、木製グリップ部１４の長さ方向に沿って平行に形成されると共に、木製グリップ部１４に対向する係止部２３を有している。
【００２８】
図２は、本考案に係る卓球ラケット１０の裏側の打球面部１７側の構造を示す斜視図である。図１に示した構造と異なる点のみを説明する。
図２に示すように、卓球ラケット１０の裏側の打球面部１７側には、親指掛け部（図示せず）と厚さ方向の略同一の位置に人指し指掛け部２４が設けられている。
【００２９】
人指し指掛け部２４は、親指掛け部と同様に合成樹脂による一体成型によって形成され、木製グリップ部１４上に、木製グリップ部１４に沿って設けられた基部３１と、基部３１の先端部に形成され、親指掛け部と打球板部１２の厚さ方向において反対方向に突出する突出部２５とを有している。
【００３０】
基部３１は、木製グリップ部１４と略同じ幅寸法において、木製グリップ部１４の端部にまで延設され、木製グリップ部１４と共に本実施の形態における卓球ラケット１０のグリップ部３２を構成している。
また、突出部２５は、裏側の打球面部１７の幅方向において凸部（図示せず）とは反対方向へ傾斜して突出して配置されている。
【００３１】
親指掛け部２０及び人差し指掛け部２４は、合成樹脂により形成されているが、本実施の形態にあっては、柔軟性及び弾力に富み、ゴム類等の材料との混合が可能な発泡プラスチックであるＥＶＡ（エチレン酢酸ビニル共重合体）樹脂が使用されている。
したがって、耐摩耗性を有するブタジエンゴムやウレタンゴム、スチレンブタジエンゴムやニトリルゴム等と混合することで、指触りが良く、かつ、長期間使用することに適した卓球ラケット１０を提供することができる。
【００３２】
図３（ａ）及び（ｂ）は、本考案に係る卓球ラケット１０を把持した状態を示す斜視図である。
（ａ）は、表側の打球面部１１側の状態を示す斜視図である。
（ｂ）は、裏側の打球面部１７側の状態を示す斜視図である。
【００３３】
図３（ａ）及び（ｂ）に示すように、本考案に係る卓球ラケット１０は、親指の内側になる面が凸部２１に当接するように親指を親指掛け部２０に配置し、手を大きく開いて人差し指を伸ばした状態で、人差し指を突出部２５に掛け、さらに、突出部２５を介して他の３本の指を裏面側に沿えることにより、卓球ラケット１０を把持する。
【００３４】
このとき、親指の内側になる面が凸部２１に当接するため、本実施の形態にあっては、凸部２１の長さ寸法ｈは、木製グリップ部１４の長さ寸法ｈ１に対し小さくなるように形成されている。
【００３５】
また、木製グリップ部１４及びグリップ部３２は、打球面部１１、１７の長さ方向に対して、打球面部１１、１７の幅方向一端部側へ斜めに固定されている。
したがって、図３（ａ）に示すように、フォアハンドで打球する場合においては、下腕部の延長線上の位置Ｐよりも下方に打球面部１７の位置Ｐ１が配置される。
また、図３（ｂ）に示すように、バックハンドで打球する場合においては、卓球ラケット１０のヘッド部２６が下がらないため、遠心力を利用してフルスイングすることが可能となる。
その結果、フォアミドルへのボールに対して手首を返して打つ必要がなく、ボールに対して迅速に打球面を形成して打つことができる。
【００３６】
尚、本実施の形態に係る卓球ラケット１０にあっては、右手用のペンホルダータイプの場合を例に説明したが、本実施の形態に限定されず、左手用またはシェークハンドタイプの卓球ラケットにも応用できる。
【産業上の利用可能性】
【００３７】
従って、本考案に係る卓球ラケットは、特にペンホルダータイプでバックハンドで打球する場合であっても、攻撃力を向上させ効果的な打球を返すことができ、延いてはスポーツの発展に必要不可欠な要素である技術力の向上を促すため、産業上の利用可能性を有している。
【符号の説明】
【００３８】
１０  卓球ラケット
１１  表側の打球面部
１２  打球板部
１３  長さ方向端部
１４  木製グリップ部
１５  面部
１６  面部
１７  裏側の打球面部
１８  グリップ固定部
１９  延設部
２０  親指掛け部
２１  凸部
２３  係止部
２４  人差し指掛け部
２５  突出部
２６  ヘッド部
２７  打球板部の先端
２８  親指収納部
２９  後端部
３０  基端部
３１  基部
３２  グリップ部
ｈ  凸部の長さ寸法
ｈ１  グリップ部１４の長さ寸法
Ｐ  下腕部の延長線上の位置
Ｐ１  打球面部の位置
【図１】
0003184479.tif 000003
【図２】
0003184479.tif 000004
【図３】
0003184479.tif 000005